【事件の表示】
　平成９年特許願第１４５５９４号「接触圧力を調節した雌側電気的接触端子」拒絶査定不服審判事件〔平成１０年２月２４日出願公開、特開平１０−５５８３９号〕について、次のとおり審決する。
【結　論】
　本件審判の請求は、成り立たない。
【理　由】
１．手続の経緯・本願発明
　本願は、平成９年６月３日（パリ条約による優先権主張１９９６年６月３日、仏国）の出願であって、その請求項１に係る発明は、平成１９年８月２１日付けで手続補正された、特許請求の範囲の請求項１に記載された次の事項により特定されるとおりのものである。（以下「本願発明」という。）
「単一の導電性金属薄板から得られる雌側電気的接触端子であって、
　導電体（２０）に接続され得る後側部分（１４）と、端壁（２２）と２つの側壁（２６）と２つの上部半壁面（４０）とからなるかご状に形成された前側部分（１０）とを有し、
　前記側壁に、雄側コンタクトの挿入の間に該雄側コンタクトを案内する案内手段と、このかご状部分をコネクタハウジング内に固定するための固定手段とが設けられ、
　前記各上部半壁面と側壁とが、接触ブレード（２９）を構成する内側タブに、１８０゜折曲部分によって連結され、
　前記側壁（２６）の少なくとも一方が、該側壁に連結した前記接触ブレード（２９）の表裏面において交互に作用する２つの変形部分（４６−５５）を有する雌側電気的接触端子において、
　前記２つの変形部分が、雄側コンタクトが挿入されるときに該雄側コンタクトの表面に前記接触ブレードにより印加される接触圧力を連続して調節するように、接触圧力が全く印加されない受容位置と、前記接触ブレードが最大接触圧力を印加する使用位置との間に、前記接触ブレード（２９）の最大移動を制限する隙間空間を画定していることを特徴とする雌側電気的接触端子。」
　
２．引用刊行物
（１）引用刊行物１
　これに対して、原査定の拒絶の理由に引用され、本願の優先日前に頒布された実願昭６３−１２２６３８号（実開昭６４−５１２７３号）のマイクロフイルム（以下「引用刊行物１」という。）には、第１〜８図とともに以下の事項が記載されている。
ア．「本考案は接触刃を受け入れる電気接触端子に関し、特に内壁と外壁とが横方向に１８０度の角度に折り曲げられ接続され、前部には片持梁構造の接触部分を有する２つの側部と、その各々の側部が接続する底部とからなるかご様の本体を有する金属板を打抜き折り曲げして製造される型の端子に関する。
「従来の技術」
　上記の型の接触端子は公知である。その端子は金属板を打抜き、折り曲げ、圧延して製造されるので機械加工された端子より非常に価格が安い。他方、打抜き、折り曲げられた金属板の接触端子は多くの欠点がある。もしも端子が刃により広げて離すのに強い力に抵抗して安心して相互に近接させ内壁の接触構成部分を製造するならば、電気的接触として優れた特性を与えるので好ましいが、挿入力が増加し欠点のある挿入の危険を生ずる。・・・（中略）・・・他方、もしも接点を構成する部分が初期に離れているならば接触刃上の接触をささえる力は或る場合には満足な電気的接続を与えるには不充分であるかもしれない。
「考案の要約」
　本考案の目的は雄の接触刃が挿入されるときに案内し、満足な電気的接続を達成する接触端子を提供することである。この目的について各外壁は内壁を横ぎって内壁の端部の近くで前部フラップを内側に折り曲げて、他の側部の内壁と接触外の位置に可撓性の応力をあらかじめ加えて内壁の前部部分を保持している。」（明細書第４頁第１９行〜第６頁第９行）
イ．「第１図及び第３図から第７図を参照して、端子を説明する。第２図に示される型のブランクから出発して端子は製造される。端子は普通一般的な構造のコネクタに使用されるものである。端子１０はワンピースである。雄接触刃１２を受け入れる前部の本体と電線を締付する後方の軸部１４を有している。軸部１４には２組の突出部１４，１８があり、それぞれ第３図に示すように電線２０の管及びコアの上を締付けている。
　端子１０の本体は底部２２と２つの側部２４とでかごの形状をしている。各側部２４は外壁２６と内壁２８で構成されている。各外壁２６は第２図の点鎖線３０に沿って９０度の角度に始めのブランクを折り曲げて製作される。内壁２８は第２図の３２で示される縁に沿って１８０度の角度に折り曲げて外壁２６に接続させてある。２つの壁２６と２８の組は第２図の３４の線に沿うて直角に折り曲げられる。
　初めのブランクには切抜３６があり、内壁２８はその後方の部分においてのみ相当する外壁２６と接続している形である。各内壁の前方の部分は接触刃１２に向き弾性的接触を支えるように構成されている。
　・・・（中略）・・・
　壁２６と壁２８の部分がぴったりと１８０度に折り曲げられている部分はかごの天井を構成している。図に示されるように、初めのブランクは内壁２８の片持梁構造の領域に連続した天井を構成し相互に隣接して突起部４０を構成するように切り取られている。一方１８０度に折り曲げられたものは間隙４２によって離されている。この構造は端子の内側にコネクタの絶縁材料を突出により密封してコネクタのなかに端子を置くときに有利である。他方、最大の押しつぶし強度の端子が望まれる時には切抜は１８０度に曲げられたものを第８図の破線で示されるように互いに接触するようにすることができる。後者の構造は１つの束にまたはゆるくして集められるときに互いに捕捉される端子の危険性を限定し、それは接触部の完全な保護を提供している。
　・・・（中略）・・・電気的接触を構成する片持梁構造の部分は壁２８の全長の半分よりわずかに長い長さを有し、それは自由端の直接の近傍で他の壁の方へ凸部を向けるように厚くした曲げ部分と内側に上反りを持つような形をとっている。互いに２つの接触部に力を加え、接触部の上反りのために弾性力がそれぞれの外壁２６の後方に曲げられた部分４６によって吸収される。第１図を参照して、後方に曲げられた部分の曲げは底部及びかごの天井の末端の縁りの前部に位置し・・・（中略）・・・ている。」（明細書第８頁第４行〜第１１頁第９行）
ウ．「接触部の自由なチルティング運動量を増加するために外壁２６には窓の凹所４８があり、内壁２８の各接触部の基底に面して壁の厚さの約２０％の深さを有し、それぞれ後方に曲げられた部分４６によって保持された末端部分に面している。
　外壁２６には絶縁物のなかに端子を固定し、現在使用される或る形状を有する固定タブ５２を受け入れるための開口５０が構成されている。」（明細書第１１頁第１４行〜第１２頁第１行）
エ．「自動車の分野で普通の電流に使用される端子の場合には、一般的に０.３から０.４mmの厚さを有する銅合金板を打抜き及び折り曲げして製造が行われる。」（明細書第１２頁第１７〜２０行）
オ．「第６図に示すように接触部の自由な末端部分と各の後方に曲げられた部分の末端を構成する単位に対して例えば１５°の傾斜を与えたり、自由な末端部分での接触部の厚さを減少することは有利である。そのような傾斜は押すの接触刃を挿入するのを容易にする。」（明細書第１３頁第８〜１３行）
カ．第１〜６図には、２つの側部２４の外壁２６の前側が後方に折り曲げられて部分４６となり、各内壁２８の前方の部分の内側面と接する様子が図示される。
　
　上記ア．〜オ．の記載事項及びカ．の図示内容を総合すると、引用刊行物１には、以下の発明（以下「引用発明」という。）が記載されていると認められる。
「０．３から０．４mmの厚さを有する銅合金板を打抜き及び折り曲げして製造が行われる、雄接触刃１２を受け入れる電気接触端子であって、
　電線２０の管及びコアの上を締付ける後方の軸部１４と、底部２２と２つの側部２４とでかごの形状をし、２つの側部２４の外壁２６と内壁２８の部分がぴったりと１８０度に折り曲げられている部分及び内壁２８の片持梁構造の領域の突起部４０がかごの天井を構成している、雄接触刃１２を受け入れる前部の本体とを有し、
　それぞれの側部２４の外壁２６の前側で後方に曲げられた部分４６は、傾斜を有して雄の接触刃１２の挿入を容易になるように案内しており、それぞれの側部２４の外壁２６には絶縁物のなかに端子を固定する固定タブ５２を受け入れるための開口５０が構成されており、
　２つの側部２４の外壁２６と内壁２８の部分が後方の部分において接続されぴったりと１８０度に折り曲げられ、かごの天井及び側部２４となるとともに、各内壁２８の前方の部分は雄接触刃１２に向き弾性的接触をなして電気的接触を構成する片持梁構造とされ、
　それぞれの側部２４の外壁２６の前側で後方に曲げられた部分４６は、各内壁２８の前方の片持梁構造の部分の内側面を、他の側部２４の内壁２８と接触外の位置に可撓性の応力をあらかじめ加えて内壁２８の前部部分を保持し、
　各内壁２８の前方の片持梁構造の部分は弾性力により雄接触刃１２に弾性的接触され、各内壁２８の前方の片持梁構造の部分の接触部がチルティング運動される、
雄接触刃１２を受け入れる電気接触端子。」
　
（２）引用刊行物２
　同じく引用され、本願の優先日前に頒布された実願昭６３−１８７５３号（実開平１−１２４６７３号）のマイクロフイルム（以下「引用刊行物２」という。）には、第１〜１１図とともに以下の事項が記載されている。
ア．「板フューズ１の端子部２を挿入する場合に第１１図に実線で示すように「斜め」方向から挿入したり、或いは実線又は２点鎖線で示すように矢印Ａ、Ｂ方向に「こじり」動作をさせながら挿入すると弾性的平板部７ｂが塑性変形してばね性が失われ、接触不良を起こし易くなると共に支持が不安定となる。
　・・・（中略）・・・端子部の幅が1〜３mm程度と極めて小さくなると弾性的平板部７ｂが上記片持梁の構造では弾性部７ｆの幅も狭いためにばねの強度が充分に得られなくなる。この結果、板フューズ１を挿入した場合に接触部の圧力が十分に得られなくなり、電気的接触が不安定となり、大きな電流を通電させることが困難となる等の問題がある。」（明細書第４頁第１２行〜第５頁第１０行）
イ．「背板部７ａの略中央には、係止部７ｋが切り起こし成形により形成され、当該背板部７ａに対して内側に略直角をなし、且つ端面が弾性的平板部７ｇの中央部７　に臨んで所定の高さに設定されている。この係止部７ｋは端子部２の圧入時における弾性的平板部７ｇの彎曲を制限して塑性変形を防止するためのもので、第３図に２点鎖線で示すように、当該弾性的平板部７ｇが固定的平板部７ｄから接続端子２の厚みよりも僅かに広く開かれた状態において、端面が弾性的平板部７ｇの中央部部７ｈの裏面に当接して係止し、当該弾性的平板部７ｇの変形（彎曲）を制限する。」（明細書第７頁第１６行〜第８頁第７行）
ウ．「板フューズ１の端子部２を圧入する際に第３図に実線で示すように「斜め」に挿入したり、或いは当該実線及び２点鎖線で示すように矢印Ａ、Ｂ方向に「こじり」動作をさせながら挿入すると、当該端子部２により弾性的平板部７ｇが背板部７ａの方向に無理な押圧力を加えられて彎曲する。この時係止部７ｋが弾性的平板部７ｇの中央部７ｈを裏面から支持して、当該平板部７ｇの彎曲変形を制限する。これにより当該弾性的平板部７ｇの塑性変形が防止される。」（明細書第１０頁第１〜１０行）
　
（３）引用刊行物３
　同じく引用され、本願の優先日前に頒布された実願平５−７３５５８号（実開平７−４２００５号）のＣＤ−ＲＯＭ（以下「引用刊行物３」という。）には、図１〜７とともに以下の事項が記載されている。
ア．「従来、この種の端子金具として、図７に示すように、前方部分に筒状の接触部１を有し、後方部分に電線を圧着せしめる圧着部２を備えたものが知られている。当該端子金具は、平板状の金属板から展開状態を切断し、必要部分を曲げ起こして立体的に形成している。接触部１の底壁３は、前方に帯板状の金属片を残して切断し、後方側に曲げ起こすとともに、筒の内部で底壁側から天井壁側に向けて突出した可撓性舌片４を形成しており、筒内に雄端子金具が挿入されたときに天井壁に向けて押しつけて導通を図るようにしている。一方、底壁１の中央部分を上方に切り起こした補強片５を形成しており、同可撓性舌片４が過度に下方へ撓もうとするときに、かかる撓み変形を阻止するようにしている。」（段落 【０００２】）
イ．「展開図に示すように、本端子金具１０は板状の金属板をプレスによって型抜きするとともに凹凸を形成し、後の工程において徐々に立体的に形成される。なお、本実施例においては小型の金具を想定しており、板圧が０．２ｍｍ程度のように薄くてもバネ力を高めることができるようにリン青銅に錫メッキを施したものを使用して形成している。」（段落【００１１】）
ウ．「図４および図５は、このような端子金具１０に雄端子金具４０を接続する状態を示している。図４から図５へと雄端子金具４０を水平に挿入するときには補強片２３の上辺と舌片２２との間には隙間が残っている。しかるに、図６に示すように、雄端子金具４０が斜めに挿入されると、舌片２２は想定している以上に撓もうとして補強片２３の上片に当接する。この場合に補強片２３が単純に曲げ囲うだけで起立しているとすると、容易に舌片２２とともに撓んで変形してしまい、舌片２２がバネ性を失って使い物にならなくなる。しかるに、本実施例のように補強片２３の側面から突出する係合凸部２３ａ１，２３ａ２が側壁２１ｂ１，２１ｂ２の係合凹部２４ａ１，２４ａ２に入り込んで両方から支持されていると、より大きな負荷にも変形することなく舌片２２を下方から支えている。このため、舌片２２はバネ性を失ってしまうほど撓まないので、雄端子金具４０さえ取り除ければ当該端子金具１０を再度使用することができる。」（段落【００１８】）
　
（４）引用刊行物４
　同じく引用され、本願の優先日前に頒布された実願平１−４３９８号（実開平２−９７７６２号）のマイクロフイルム（以下「引用刊行物４」という。）には、第１〜４図とともに以下の事項が記載されている。
ア．「基板部と、該基板部両側より立上がる両側壁部と、該両側壁部の上縁より内方に対向して曲折された上壁部とからなる管体嵌合部の上記両側壁部に、前端より挿入される相手方雄型電気接続子のタブ状電気接触片を挟持するよう、内方向に相対向して、かつ、前端部方向に自由端縁を有するよう切起こして形成された弾性を有する一対の可動接触片が設けられた雌型電気接続子において、上記一対の可動接触片の過剰撓みを規制するよう、該各可動接触片の外側に基板部を内側に切起こして形成された舌片が設けられていることを特徴とする雌型電気接続子。」（実用新案登録請求の範囲）
イ．「雄型電気接続子と雌型電気接続子とを嵌合させるとき、雄型電気接続子のタブ状電気接触片により雌型電気接続子の可動接触片に過度の変位が加えられると、可動接触片は荷重に耐えられず変形して接触不良を起こすことがある。例えば、第４図において、７はプラスチックからなるコネクタハウジング、８は相手方雄型電気接続子のタブ状電気接触片を示すが、電気接触片８が斜めに挿入されるような場合可動接触片６に応力以上に力が加わると可動接触片６が弾性限界を超え、電気接触片８が正規の位置に戻ったとしても可動接触片６の弾性力が弱まり接触不良を起こすという問題がある。
（課題を解決するための手段及び作用）
　本考案は、上記の如き課題を解決するためになされたもので、管体嵌合部の一対の可動接触片６の過剰撓みを規制するよう、該各可動接触片の外側に、基板部を内側に切起こして形成された舌片を設けて、これらの舌片により可動接触片６の過剰撓みを防止した構造の雌型電気接続子を提供するもものである。」（明細書第３頁第４行〜第４頁第４行）
ウ．「第１図及び第２図において、可動接触片６が相手方のタブ状電気接触片によりこじられたとしても、舌片2-1または2-2により過剰撓みが防止され弾性限界を超えることがないので、相手方のタブ状電気接触片は可動接触片６により十分弾性的に挟持され接触不良となることがない。」（明細書第５頁第１０〜１５行）
　
３．対比・判断
　本願発明と引用発明とを対比すると、後者の「０．３から０．４mmの厚さを有する銅合金板」は、その機能・構成からみて、前者の「導電性金属薄板」に相当し、以下同様に、後者の「雄接触刃１２を受け入れる電気接触端子」は前者の「雌側電気的接触端子」に、後者の「電線２０の管及びコアの上を締付ける後方の軸部１４」は前者の「導電体（２０）に接続され得る後側部分（１４）」に、後者の「底部２２」は前者の「端壁（２２）」に、後者の「２つの側部２４」は前者の「２つの側壁（２６）」に、後者の「前部の本体」は前者の「前側部分（１０）」に、後者の「雄接触刃１２」は前者の「雄側コンタクト」に、後者の「絶縁物」は前者の「コネクタハウジング」にそれぞれ相当する。
　また、後者の「０．３から０．４mmの厚さを有する銅合金板を打抜き及び折り曲げして製造が行われる」ことは、一枚の銅合金板から製造されることであるから、前者の「単一の導電性金属薄板から得られる」ことに相当する。
　後者の「前部の本体」について、「底部２２と２つの側部２４とでかごの形状をし、」「２つの側部２４の外壁２６と内壁２８の部分がぴったりと１８０度に折り曲げられている部分及び内壁２８の片持梁構造の領域の突起部４０がかごの天井を構成して」おり、且つ、「２つの側部２４の外壁２６と内壁２８の部分が後方の部分において接続されぴったりと１８０度に折り曲げられ、かごの天井及び側部２４となる」ものであるから、２つの側部２４から連続するように突出してかごの天井を構成しかごの形状をなすものといえ、前者の「前側部分（１０）」について、「端壁（２２）と２つの側壁（２６）と２つの上部半壁面（４０）とからなるかご状に形成された」ものであることに相当する。
　後者の「それぞれの側部２４の外壁２６の前側で後方に曲げられた部分４６」は、「傾斜を有して雄の接触刃１２の挿入を容易になるように案内」することから、前者の「側壁に」設けられた、「雄側コンタクトの挿入の間に該雄側コンタクトを案内する案内手段」に相当し、後者の「それぞれの側部２４の外壁２６には絶縁物のなかに端子を固定する固定タブ５２を受け入れるための開口５０が構成され」る態様は、前者の「側壁に、」「このかご状部分をコネクタハウジング内に固定するための固定手段とが設けられ」る態様に相当する。
　後者の「雄接触刃１２に向き弾性的接触をなして電気的接触を構成する片持梁構造」の部分は、その構造・機能からみて、前者の「接触ブレード（２９）を構成する内側タブ」に相当し、後者の「２つの側部２４の外壁２６と内壁２８の部分が後方の部分において接続されぴったりと１８０度に折り曲げられ、かごの天井及び側部２４となるとともに、各内壁２８の前方の部分は雄接触刃１２に向き弾性的接触をなして電気的接触を構成する片持梁構造とされ」る態様は、前者の「各上部半壁面と側壁とが、接触ブレード（２９）を構成する内側タブに、１８０゜折曲部分によって連結され」る態様に相当している。
　そして、後者は「各内壁２８の前方の片持梁構造の部分は弾性力により雄接触刃１２に弾性的接触され、各内壁２８の前方の片持梁構造の部分の接触部がチルティング運動される」ものであるから、前者と同様に、「雄側コンタクトが挿入されるときに該雄側コンタクトの表面に前記接触ブレードにより」「接触圧力を」印加するものであり、接触ブレード（２９）はその接触により移動するものである。
　さらに、後者の「それぞれの側部２４の外壁２６の前側で後方に曲げられた部分４６は、各内壁２８の前方の片持梁構造の部分の内側面を、他の側部２４の内壁２８と接触外の位置に可撓性の応力をあらかじめ加えて内壁２８の前部部分を保持」する構造は、前者の「側壁（２６）の少なくとも一方が、該側壁に連結した前記接触ブレード（２９）の」「面に」「作用する」「変形部分（４６）を有する雌側電気的接触端子において、」「変形部分が、雄側コンタクトが挿入されるときに」「接触圧力が全く印加されない受容位置」「を画定している」点で共通している。
　そうすると、両者は、
「単一の導電性金属薄板から得られる雌側電気的接触端子であって、
　導電体（２０）に接続され得る後側部分（１４）と、端壁（２２）と２つの側壁（２６）と２つの上部半壁面（４０）とからなるかご状に形成された前側部分（１０）とを有し、
　前記側壁に、雄側コンタクトの挿入の間に該雄側コンタクトを案内する案内手段と、このかご状部分をコネクタハウジング内に固定するための固定手段とが設けられ、
　前記各上部半壁面と側壁とが、接触ブレード（２９）を構成する内側タブに、１８０゜折曲部分によって連結され、
　前記側壁（２６）の少なくとも一方が、該側壁に連結した前記接触ブレード（２９）の面において作用する変形部分（４６）を有する雌側電気的接触端子において、
　前記変形部分が、雄側コンタクトが挿入されるときに、接触圧力が全く印加されない受容位置を画定している雌側電気的接触端子。」
である点で一致し、以下の点で相違する。
　
相違点：本願発明が「側壁（２６）の少なくとも一方が、該側壁に連結した前記接触ブレード（２９）の表裏面において交互に作用する２つの変形部分（４６−５５）を有する雌側電気的接触端子において、
　前記２つの変形部分が、雄側コンタクトが挿入されるときに該雄側コンタクトの表面に前記接触ブレードにより印加される接触圧力を連続して調節するように、接触圧力が全く印加されない受容位置と、前記接触ブレードが最大接触圧力を印加する使用位置との間に、前記接触ブレード（２９）の最大移動を制限する隙間空間を画定している」のに対して、引用発明は「各内壁２８の前方の片持梁構造の部分」が、「弾性力により雄接触刃１２に弾性的接触され、各内壁２８の前方の片持梁構造の部分の接触部がチルティング運動される」ものであって、「それぞれの側部２４の外壁２６の前側で後方に曲げられた部分４６」は、「各内壁２８の前方の片持梁構造の部分の内側面を、他の側部２４の内壁２８と接触外の位置に可撓性の応力をあらかじめ加えて内壁２８の前部部分を保持し」ているものの、片持梁構造の部分の内側面の反対面に交互の作用する変形部分（５５）を有しておらず、上記のようなものではない点。
　
　そこで、上記相違点について検討する。
（１）引用発明の「それぞれの側部２４の外壁２６の前側で後方に曲げられた部分４６」は、「各内壁２８の前方の片持梁構造の部分の内側面を、他の側部２４の内壁２８と接触外の位置に
可撓性の応力をあらかじめ加えて
雄接触刃１２に弾性的接触
チルティング運動される
（２）一方、引用刊行物２には、雄接触刃の斜めの挿入やこじり動作等により片持梁の弾性的平板部７ｇに無理な押圧力が加えられて塑性変形することやばね強度が充分得られないことによる接触圧力不足を防止するように、片持梁の弾性的平板部７ｇが彎曲する背板部７ａの方向である、背面から支持する係止部７ｋを、片持梁の弾性的平板部７ｇの背面の背板部７ａから切り起こし成形することが示されている。
　また、引用刊行物３にも、大きな負荷による可撓性舌片４，２２の過度の下方への撓み変形を阻止するために、可撓性舌片４，２２の下方から支えるように、可撓性舌片４，２２の下方にある底壁３を、上方に切り起こした補強片５を形成することが示されている。
　そうすると、引用発明において、引用刊行物２や３に示される事項に倣って、大きな圧力による片持梁構造の部分の塑性変形を防止したり、接触圧力不足を防止するように、その押圧される方向と逆の方向からその面を支えるように、押圧される方向の面である側部２４の外壁２６から切り起こした係止部を設けることは、当業者が必要に応じて適宜なし得たこととである。
　敷延すると、引用刊行物２や３における、片持梁構造の部分の弾性変形による移動で雄コネクタにより弾性接触されるという基本的機能や、その雄コネクタによる移動が大きすぎる時の塑性変形やばね強度不足による接触圧力不足を片持梁構造の部分の移動方向の反対側から補うという係止部の機能から、片持梁構造の部分の移動方向や、塑性変形・接触圧力不足を防止するための支持する方向に着目し、片持梁構造の部分が支持される方向の本体部分の面から係止部を切り起こすということから捉えた上記引用刊行物２や３の構成を適用することは、当業者が何ら格別の困難性を要することなくなし得たものといえる。
（３）そして、そのように構成されるとき、雄接触刃１２が挿入された、使用する時には、各内壁２８の前方の片持梁構造の部分の上記側部２４の外壁２６の面、つまり上記「それぞれの側部２４の外壁２６の前側で後方に曲げられた部分４６」により支持されていた「内側面」とは反対側の面を、その内側面の支持から離れた後に、上記「側部２４の外壁２６から切り起こした係止部」により支持するものであるから、表裏面において交互に作用するものといえ、且つ、片持梁構造の部分がそれ以上撓まず、充分な接触圧力を印加するから、その使用する時の位置で、最大の接触圧力を印加するものといえる。
　また、上記「それぞれの側部２４の外壁２６の前側で後方に曲げられた部分４６」と上記「側部２４の外壁２６から切り起こした係止部」との間で片持梁構造の部分の接触部がチルティング運動するから、上記した部分による受容位置と使用する時の位置との間に片持梁構造の部分の最大移動を制限する空間を画定するものともいえる。
　さらに、片持梁構造の部分の弾性力による接触圧力は、上記「それぞれの側部２４の外壁２６の前側で後方に曲げられた部分４６」に支持される位置における、あらかじめ加えられる応力に対応する接触圧力から、連続的に接触圧力を印加され、上記「側部２４の外壁２６から切り起こした係止部」に支持されて最大の接触圧力を印加するものとなるから、本願発明の「印加される接触圧力を連続して調節する」との作用をなす構成と同様のものであるといえる。
　したがって、上記相違点に係る本願発明の構成とすることは、当業者が容易になし得たことといわざるを得ない。
　そして、本願発明は、その効果においても格別であるとはいえない。
　なお、雄型コネクタが挿入される側が、接触ブレードの自由端になっている雌型コネクタであっても、或いは２つの接触ブレードが対向する雌型コネクタであっても、その過剰たわみを防止しようとすることは、引用刊行物４にも示されるように、当業者にとって格別のこととはいえず、上記のように引用発明に引用刊行物２や３に記載の事項を適用することは容易である。
　
４．むすび
　以上のように、本願発明は、引用発明及び引用刊行物２〜４に記載の事項に基づいて、当業者が容易に発明をすることができたものであるから、特許法第２９条第２項の規定により特許を受けることができない。そうすると、本願の他の請求項に係る発明について検討するまでもなく、本願は拒絶すべきものである。
　よって、結論のとおり審決する。